(57)【要約】【課題】簡易な構成で、低コストで、効率的な制振を行うことが可能な制振構造等を提供する。【解決手段】隣接する２本の柱２、３、及び相対向する上下梁４、５で形成される内側空間に掛け渡される横桟６と、横桟６と、２本の柱２、３と、上梁５又は下梁４のいずれか一方とで形成されるフレームに収装される粘弾性ダンパー７、８、摩擦ダンパー又は鋼材ダンパーと、横桟６と、２本の柱２、３と、上梁５又は下梁４のいずれか他方とで形成されるフレームに固定される振動追従板９とを備える制振構造１。粘弾性ダンパー７、８、等でを収装したフレーム部分で振動エネルギーを吸収し、振動追従板９を固定したフレーム部分でせん断抵抗機能を発揮させることができ、在来工法である木造軸組工法等に利用することができる。振動追従板９は、鉄板、ＯＳＢボード、石膏ボード、合板又はＢＬＢを含む面材とすることができる。【選択図】図１
2007262707.tif 000002
【特許請求の範囲】
【請求項１】
隣接する２本の柱、及び相対向する上下梁で形成される内側空間に掛け渡される横桟と、
該横桟と、前記２本の柱と、前記上梁又は下梁のいずれか一方とで形成されるフレームに収装される粘弾性ダンパー、摩擦ダンパー又は鋼材ダンパーと、
前記横桟と、前記２本の柱と、前記上梁又は下梁のいずれか他方とで形成されるフレームに固定される振動追従板とを備えることを特徴とする制振構造。
【請求項２】
前記振動追従板は、鉄板、ＯＳＢボード、石膏ボード、合板又はＢＬＢを含む面材であることを特徴とする請求項１に記載の制振構造。
【請求項３】
隣接する２本の間柱、及び相対向する上下繋ぎ材で形成される内側空間に配置される横架材と、
該横架材と、前記２本の間柱と、前記上繋ぎ材又は下繋ぎ材のいずれか一方とで形成されるフレームに収装される粘弾性ダンパー、摩擦ダンパー又は鋼材ダンパーと、
前記横架材と、前記２本の間柱と、前記上繋ぎ材又は下繋ぎ材のいずれか他方とで形成されるフレームに固定される振動追従板とを備えることを特徴とする制振パネル。
【請求項４】
前記振動追従板は、鉄板、ＯＳＢボード、石膏ボード、合板又はＢＬＢを含む面材であることを特徴とする請求項３に記載の制振パネル。
【発明の詳細な説明】
【技術分野】
【０００１】
本発明は、建築物の制振技術に関し、特に、２Ｘ４工法等の軸組壁工法、及び在来工法である木造軸組工法による木造建築物等の制振を行う制振構造及び制振パネルに関する。
【背景技術】
【０００２】
従来、強風や地震等による木造建築物の揺れを抑えるため、種々の制振構造が提案されている。例えば、特許文献１には、床パネルと、壁パネルとで構成されるユニット建物の制振構造において、床パネルの内部に制振装置を設けて建物の水平振動を制振している。
【０００３】
【特許文献１】特開平１１−３２４４０４号公報
【発明の開示】
【発明が解決しようとする課題】
【０００４】
しかし、上記特許文献１に記載の建物の制振構造は、取付金具と、制振ゴムと、ウエイトと、制振ばねとを組み立てることにより構成しているため、構造が複雑で、一つの建物に多数設置すると設置コストが高騰するという問題があった。また、その他の建物の制振構造についても、構造が複雑なものがほとんどであり、設置コストが高い割には、それに見合う効果を奏するものは見当たらなかった。また、２Ｘ４工法等の軸組壁工法においても、同様の問題が存在していた。
【０００５】
そこで、本発明は、上記従来の建物の制振構造等における問題点に鑑みてなされたものであって、簡易な構成で、低コストで、効率的な制振を行うことが可能な制振構造及び制振パネルを提供することを目的とする。
【課題を解決するための手段】
【０００６】
上記目的を達成するため、本発明は、制振構造であって、隣接する２本の柱、及び相対向する上下梁で形成される内側空間に掛け渡される横桟と、該横桟と、前記２本の柱と、前記上梁又は下梁のいずれか一方とで形成されるフレームに収装される粘弾性ダンパー、摩擦ダンパー又は鋼材ダンパーと、前記横桟と、前記２本の柱と、前記上梁又は下梁のいずれか他方とで形成されるフレームに固定される振動追従板とを備えることを特徴とする。
【０００７】
そして、本発明によれば、粘弾性ダンパー、摩擦ダンパー又は鋼材ダンパーを収装したフレーム部分において振動エネルギーを吸収し、振動追従板を固定したフレーム部分は、壁倍率を高くしてせん断抵抗機能を発揮させることができるため、簡易な構成で、低コストで、効率的な制振を行うことのできる制振構造を得ることができ、在来工法である木造軸組工法等に利用することができる。
【０００８】
また、前記制振構造において、前記振動追従板を、鉄板、ＯＳＢボード、石膏ボード、合板又はＢＬＢを含む面材とすることができる。
【０００９】
さらに、本発明は、制振パネルであって、隣接する２本の間柱、及び相対向する上下繋ぎ材で形成される内側空間に配置される横架材と、該横架材と、前記２本の間柱と、前記上繋ぎ材又は下繋ぎ材のいずれか一方とで形成されるフレームに収装される粘弾性ダンパー、摩擦ダンパー又は鋼材ダンパーと、前記横架材と、前記２本の間柱と、前記上繋ぎ材又は下繋ぎ材のいずれか他方とで形成されるフレームに固定される振動追従板とを備えることを特徴とする。
【００１０】
本発明によれば、粘弾性ダンパー、摩擦ダンパー又は鋼材ダンパーを収装したフレーム部分において振動エネルギーを吸収し、振動追従板を固定したフレーム部分は、壁倍率を高くしてせん断抵抗機能を発揮させることができるため、簡易な構成で、低コストで、効率的な制振を行うことのできる制振パネル得ることができ、軸組壁工法等に利用することができる。
【００１１】
また、前記制振パネルにおいて、前記振動追従板を、鉄板、ＯＳＢボード、石膏ボード、合板又はＢＬＢを含む面材とすることができる。
【発明の効果】
【００１２】
以上のように、本発明によれば、簡易な構成で、低コストで、効率的な制振を行うことが可能な制振構造及び制振パネルを提供することができる。
【発明を実施するための最良の形態】
【００１３】
図１は、本発明にかかる制振構造の一実施の形態を示し、この制振構造１は、隣接する２本の柱２、３と、土台４及び梁５と、横桟６と、上側のフレーム内に配置された２つの壁制振ゴム構造７、８と、下側のフレーム内に配置された振動追従板としての鉄板９と、外壁材１０等で構成される。鉄板９は、土台４と横桟６との間に配置された補強部材３１〜３４によって補強される。
【００１４】
壁制振ゴム構造７（８）は、図２に示すように、主に、鉄板１１、１２と、制振ゴム１３〜１５とで構成され、梁５及び横桟６に、等辺山形鋼１６、１７、ボルト１８、２１、ナット１９、２２、鉄板２３、２４、釘２５、２６を介して固定される。
【００１５】
上述のような構成を有する制振構造１は、地震等の際に、上側の壁制振ゴム構造７、８を収装したフレーム部分において振動エネルギーを吸収し、下側の鉄板９を固定したフレーム部分は、壁倍率を高くしてせん断抵抗機能を発揮させることができ、在来工法である木造軸組工法等において、簡易な構成で、低コストで、効率的な制振を行うことが可能となる。
【００１６】
尚、上側のフレームには、壁制振ゴム構造７、８を２つ配置したが、１つ又は３つ以上配置することもできる。また、壁制振ゴム構造７、８の他、弾性ダンパー、摩擦ダンパー等の制振デバイスを収装することもできる。
【００１７】
さらに、図１において、振動追従板として、鉄板９の代わりに、ＯＳＢボード、石膏ボード、合板、ＢＬＢ等の面材を用いてもよい。
【００１８】
また、上記実施の形態においては、上側のフレーム部分に壁制振ゴム構造７、８を収装したが、下側、すなわち土台４を構成要素の一部とするフレーム部分に壁制振ゴム構造７、８を収装して振動エネルギーを吸収し、上側、すなわち梁５を構成要素の一部とするフレーム部分に振動追従板としての鉄板９を固定し、壁倍率を高くしてせん断抵抗機能を発揮させることもできる。
【００１９】
さらに、上記実施の形態においては、在来工法である木造軸組工法による木造建築物等に適用することのできる制振構造１について説明したが、図１の隣接する２本の柱２、３を隣接する２本の間柱に、土台４及び梁５を上繋ぎ材及び下繋ぎ材に置き換えたパネルに横架材を掛け渡し、この横架材と、２本の間柱と、上繋ぎ材又は下繋ぎ材のいずれか一方とで形成されるフレームに粘弾性ダンパー、摩擦ダンパー又は鋼材ダンパーを収装し、前記横架材と、２本の間柱と、上繋ぎ材又は下繋ぎ材のいずれか他方とで形成されるフレームに振動追従板を固定することもできる。
【００２０】
上記構成を有するパネルは、粘弾性ダンパー等を収装したフレーム部分において振動エネルギーを吸収し、振動追従板を固定したフレーム部分でせん断抵抗機能を発揮させることができるため、簡易な構成で、低コストで、効率的な制振を行うことのできる制振パネル得ることが可能となる。
【図面の簡単な説明】
【００２１】
【図１】本発明にかかる制振構造の一実施の形態を示す図であって、（ａ）は正面図、（ｂ）は（ａ）のＡ−Ａ線断面図、（ｃ）は（ａ）のＢ−Ｂ線断面図である。
【図２】図１の制振構造の壁制振ゴム構造を示す図であって、（ａ）は正面図、（ｂ）は（ａ）のＤ−Ｄ線断面図である。
【符号の説明】
【００２２】
１  制振構造
２  柱
３  柱
４  土台
５  梁
６  横桟
７  壁制振ゴム構造
８  壁制振ゴム構造
９  鉄板
１０  外壁材
１１  鉄板
１２  鉄板
１３  制振ゴム
１４  制振ゴム
１５  制振ゴム
１６  等辺山形鋼
１７  等辺山形鋼
１８  ボルト
１９  ナット
２１  ボルト
２２  ナット
２３  鉄板
２４  鉄板
２５  釘
２６  釘
３１〜３４  補強部材
【図１】
2007262707.tif 000003
【図２】
2007262707.tif 000004